(57)【要約】電子装置であって、装置がアイドル状態のときに待機画面を表示するディスプレイを有するユーザ・インタフェースと、ユーザ入力装置とを含み、ユーザ・インタフェースは、ユーザ入力装置を使用して操作されるメニュー・システムを待機画面の再構成用に提供する、電子装置。【選択図】図２（Ａ−Ｃ）
2008542942.tif 000002
【特許請求の範囲】
【請求項１】
電子装置であって、
前記装置がアイドル状態のときに待機画面を表示するディスプレイを有するユーザ・インタフェースと、ユーザ入力装置とを含み、前記ユーザ・インタフェースは、前記ユーザ入力装置を使用して操作されるメニュー・システムを前記待機画面の再構成用に提供する、電子装置。
【請求項２】
前記画面は複数の領域を含み、前記メニュー・システムは前記領域の移動およびサイズ変更を実現する、請求項１に記載の電子装置。
【請求項３】
前記メニュー・システムは、前記領域の前記移動および前記サイズ変更を一領域ずつ実現する、請求項２に記載の電子装置。
【請求項４】
前記待機画面は複数の項目を含み、前記メニュー・システムは選択された項目の属性を変更するオプションを含む、請求項１、２または３に記載の電子装置。
【請求項５】
前記メニュー・システムは、前記複数の項目のリストから前記複数の項目のうちの１つを選択するオプションを含む、請求項４に記載の電子装置。
【請求項６】
変更される前記属性は、前記メニュー内の可能な属性のリストから選択される、請求項４または５に記載の電子装置。
【請求項７】
前記属性の変更は前記属性に関連付けられた値を変更し、前記値は、前記メニュー内の可能な属性値の所定リストから選択される、請求項４〜６のうちのいずれか１項に記載の電子装置。
【請求項８】
前記属性は、前記待機画面における前記選択された項目のサイズおよび／または位置である、請求項４〜７のうちのいずれか１項に記載の電子装置。
【請求項９】
前記待機画面は複数の項目を含み、前記メニュー・システムは前記複数の項目のうち選択されたものを消去するオプションを含む、先行する請求項のいずれかに記載の電子装置。
【請求項１０】
前記メニュー・システムは、前記複数の項目のリストから前記複数の項目のうちの１つを、消去を目的として選択するオプションを含む、請求項９に記載の電子装置。
【請求項１１】
前記待機画面は複数の項目を含み、前記メニュー・システムは前記複数の項目に項目を追加するオプションを含む、先行する請求項のいずれかに記載の電子装置。
【請求項１２】
前記装置は、セル式移動電話、携帯情報端末、コンピュータのうちのいずれか１つまたは複数のものとして動作する、先行する請求項のいずれかに記載の電子装置。
【請求項１３】
電子装置の待機画面を再構成する方法であって、
ユーザ入力装置を使用して操作されるメニュー・システムを前記待機画面の再構成用に提供することと、
前記装置がアイドル状態のときに前記待機画面を表示することと
を含む方法。
【請求項１４】
前記待機画面は複数の領域を含み、前記メニュー・システムは前記領域の移動およびサイズ変更を実現する、請求項１３に記載の方法。
【請求項１５】
前記メニュー・システムは、前記領域の前記移動および前記サイズ変更を一領域ずつ実現する、請求項１４に記載の方法。
【請求項１６】
前記待機画面は複数の項目を含み、前記メニュー・システムは選択された項目の属性を変更するオプションを含む、請求項１３、１４または１５に記載の方法。
【請求項１７】
前記メニュー・システムは、前記複数の項目のリストから前記複数の項目のうちの１つを選択するオプションを含む、請求項１６に記載の方法。
【請求項１８】
前記待機画面は複数の項目を含み、前記メニュー・システムは前記複数の項目のうち選択されたものを消去するオプションを含む、請求項１３〜１７のうちのいずれか１項に記載の方法。
【請求項１９】
前記待機画面は複数の項目を含み、前記メニュー・システムは前記複数の項目に項目を追加するオプションを含む、請求項１３〜１８のうちのいずれか１項に記載の方法。
【請求項２０】
電子装置の待機画面を再構成するコンピュータ・プログラムであって、ユーザ入力装置を使用して操作可能なメニュー・システムを前記待機画面の再構成用に提供するコンピュータ・プログラム命令を含む、コンピュータ・プログラム。
【請求項２１】
前記メニュー・システムは、前記待機画面の領域の移動およびサイズ変更を実現する、請求項２０に記載のコンピュータ・プログラム。
【請求項２２】
前記メニュー・システムは、前記領域の前記移動および前記サイズ変更を一領域ずつ実現する、請求項２１に記載のコンピュータ・プログラム。
【請求項２３】
前記メニュー・システムは、前記待機画面内に存在する複数の項目から選択された項目の属性を変更するオプションを含む、請求項２０、２１または２２に記載のコンピュータ・プログラム。
【請求項２４】
前記メニュー・システムは、前記複数の項目のリストから項目を選択するオプションを含む、請求項２３に記載のコンピュータ・プログラム。
【請求項２５】
前記メニュー・システムは、前記待機画面内に存在する複数の項目から選択された項目を消去するオプションを含む、請求項２０〜２４のうちのいずれか１項に記載のコンピュータ・プログラム。
【請求項２６】
前記メニュー・システムは、前記待機画面内に存在する複数の項目に選択された項目を追加するオプションを含む、請求項２０〜２４のうちのいずれか１項に記載のコンピュータ・プログラム。
【請求項２７】
待機画面を表示するディスプレイと、
前記待機画面を定義するデータを格納するメモリと、
ユーザ入力装置と、
前記ディスプレイ上の前記待機画面の内容を制御するべく前記格納データを使用し、前記待機画面を再構成するべく前記ユーザ入力装置を介した所定のユーザ入力に応答して前記格納データを所定の方法で自動的に変更する、プロセッサと
を含む電子装置。
【請求項２８】
前記格納データの前記自動的な変更は前記待機画面のレイアウトを変更する、請求項２７に記載の電子装置。
【請求項２９】
前記格納データは複数の所定の方法で変更することが可能であり、前記方法は、前記ユーザ入力装置を使用してユーザによりメニューから選択可能な別々のオプションに関連付けられている、請求項２７または２８に記載の電子装置。
【請求項３０】
前記待機画面は複数の項目を含み、前記プロセッサは、前記格納データにより定義される選択された項目の属性を変更するオプションを含むメニュー・システムを提供する、請求項２７、２８または２９に記載の電子装置。
【請求項３１】
前記メニュー・システムは、前記複数の項目のリストから前記複数の項目のうちの１つを選択するオプションを含む、請求項３０に記載の電子装置。
【請求項３２】
変更される前記属性は、前記メニュー内の可能な属性のリストから選択される、請求項３０または３１に記載の電子装置。
【請求項３３】
前記属性の変更は前記属性に関連付けられた値を変更し、前記値は、前記メニュー内の可能な属性値の所定リストから選択される、請求項３０〜３２のうちのいずれか１項に記載の電子装置。
【請求項３４】
前記属性は、前記待機画面における前記選択された項目のサイズおよび／または位置である、請求項３０〜３３のうちのいずれか１項に記載の電子装置。
【請求項３５】
前記格納データはＸＭＬコードである、請求項２７〜３４のうちのいずれか１項に記載の電子装置。
【請求項３６】
前記メモリは別の装置へ移すために取り外し可能である、請求項２７〜３５のうちのいずれか１項に記載の電子装置。
【請求項３７】
電子装置の待機画面を再構成する方法であって、
前記待機画面を定義するデータを格納することと；
前記待機画面を再構成するべく、ユーザ入力装置を介した所定のユーザ入力に応答して前記格納データを所定の方法で自動的に変更することと；
変更された前記格納データを使用して前記待機画面を表示することと
を含む方法。
【請求項３８】
前記格納データの前記自動的な変更は前記待機画面のレイアウトを変更する、請求項３７に記載の方法。
【請求項３９】
前記格納データは複数の所定の方法で変更することが可能であり、前記方法は、前記ユーザ入力装置を使用して前記ユーザによりメニューから選択可能な別々のオプションに関連付けられている、請求項３７または３８に記載の方法。
【請求項４０】
前記待機画面は複数の項目を含み、プロセッサは、前記格納データにより定義される選択された項目の属性を変更するオプションを含むメニュー・システムを提供する、請求項３７、３８または３９のうちのいずれか１項に記載の方法。
【請求項４１】
電子装置の待機画面を再構成するコンピュータ・プログラムであって、
前記待機画面を再構成するべく、ユーザ入力装置を介した所定のユーザ入力に応答して所定データを所定の方法で自動的に変更するコンピュータ・プログラム命令
を含む、コンピュータ・プログラム。
【請求項４２】
前記所定データを自動的に変更する所定の方法を、メニューから選択可能な別々のオプションに関連付ける、請求項４１に記載のコンピュータ・プログラム。
【発明の詳細な説明】
【技術分野】
【０００１】
本発明の現象形態は、電子装置の待機画面の再構成に関する。
【発明の背景】
【０００２】
セル式移動電話、携帯情報端末およびゲーム機など、ディスプレイを備えた電子装置は一般的に待機画面を有する。この画面は、装置のスイッチが入っているとき、言い換えれば、装置が「アクティブ」であり装置が特定のアプリケーションに使用されていない状態、つまり装置がアイドル状態のときに表示される。装置上で使用されているアプリケーションが終了されるとディスプレイは「ホーム」に戻り、そのアプリケーションまたは異なるアプリケーションが起動されるまでアクティブ待機画面を表示する。階層ツリーとして構成されたメニュー・システムを装置が有する場合、待機画面は階層ツリーのルートにある。
【０００３】
待機画面は頻繁に装置に表示されることもあるため、待機画面に示される情報をユーザがカスタマイズできるようにすることが望ましいと思われる。
【０００４】
現在、ユーザは待機画面の背景を選択できることもある。加えて、ユーザは背景に重ねてディスプレイの前景に表示する図形情報項目または図形制御項目を選択できることもある。図形情報項目は、装置のユーザに時計などの情報を示す項目である。ユーザは待機画面を見るだけで、図形情報項目により提供される情報を確認できる。図形制御項目は、ユーザが装置を制御できるようにする選択可能な項目であり、例えばアプリケーションへの「ショートカット」とすることもできる。
【０００５】
現在、セル式移動電話用に、種々のプラットフォームがいくつかの標準的な待機画面または種々の画面レイアウト・パターンをユーザに提供している。ユーザは、複数の所定の待機画面を見て好きなものを選択できるが、選んだ標準レイアウトを簡単に編集することはできない。一般的に、待機画面のカスタマイズには、待機画面レイアウト・ファイルを手動で編集して待機画面を変更できるように、高性能なセル式無線電話（スマート・フォン）用の待機画面レイアウト・ファイルの形式およびテキスト・エディタについての知識が必要である。ただし、この処理にはユーザがプログラミングにおいてある程度の専門技術を有することが必要とされ、スマート・フォンにテキスト・エディタをダウンロードする必要もあると思われる。
【発明の簡単な説明】
【０００６】
電子装置のユーザが装置を使用して、装置の待機画面、特にレイアウトを、所定の複数の待機画面レイアウトの１つを選択せず、または待機画面レイアウト用に新たなコードを書く必要なく簡単に再構成できるようにすることが望ましい。
【０００７】
本発明の一実施形態によれば、装置がアイドル状態のときに待機画面を表示するディスプレイを有するユーザ・インタフェースと、ユーザ入力装置とを含む電子装置が提供され、ユーザ・インタフェースは、ユーザ入力装置を使用して操作されるメニュー・システムを待機画面の再構成用に提供する。
【０００８】
本発明のこの実施形態および他の実施形態の利点は、プログラミングが全く必要とされないため、待機画面を独自のものにすることがさらに容易かつ便利になることである。ユーザは、特定の複数の情報をどこで見たいかを自由に定義できる。これは、ユーザが特別な壁紙画像を有しそのある部分を見たいが、待機画面の残りは、例えばカレンダー情報の表示またはショートカット・アイコンに利用したいという場合、特に重要である。
【０００９】
待機画面は複数の領域を含み、メニュー・システムは、領域の移動およびサイズ変更を、例えば一領域ずつ実現する。
【００１０】
待機画面は複数の項目を含むとよく、メニュー・システムは選択された項目の属性を変更するオプションを含むとよい。メニュー・システムは、複数の項目のリストから複数の項目のうちの１つを選択するオプションを含むとよい。変更される属性は、メニュー内の可能な属性のリストから選択されるとよい。属性の変更は、その属性に関連付けられた値を変更し、その値はメニュー内の可能な属性値の所定リストから選択されるとよい。属性は、待機画面内における選択された項目のサイズおよび／または位置であるとよい。
【００１１】
メニュー・システムは、複数の項目のうち選択されたものを消去するオプションを含むとよく、加えて／または複数の項目に項目を追加するオプションを含むとよい。
【００１２】
本発明の別の実施形態によれば、電子装置の待機画面を再構成する方法が提供され、この方法は、ユーザ入力装置を使用して操作されるメニュー・システムを待機画面の再構成用に提供すること、および装置がアイドル状態のときに待機画面を表示することを含む。
【００１３】
本発明の別の実施形態によれば、電子装置の待機画面を再構成するコンピュータ・プログラムが提供され、このプログラムは、ユーザ入力装置を使用して操作可能なメニュー・システムを待機画面の再構成用に提供するコンピュータ・プログラム命令を含む。
【００１４】
本発明の別の実施形態によれば、電子装置が提供され、この装置は、待機画面を表示するディスプレイ、待機画面を定義するデータを格納するメモリ、ユーザ入力装置、および、ディスプレイ上の待機画面の内容を制御するべく格納データを使用し、待機画面を再構成するべく、ユーザ入力装置を介した所定のユーザ入力に応答して格納データを所定の方法で自動的に変更するプロセッサを含む。
【００１５】
格納データの自動的な変更は、待機画面のレイアウトを変更するとよい。格納データは複数の所定の方法で変更することが可能であり、該方法はそれぞれ、ユーザ入力装置を使用してユーザによりメニューから選択可能な別々のオプションに関連付けられているとよい。
【００１６】
待機画面は複数の項目を含むとよく、プロセッサは、格納データにより定義される選択された項目の属性を変更するオプションを含む階層メニュー・システムを提供するとよい。メニュー・システムは、複数の項目のリストから複数の項目のうちの１つを選択するオプションを含むとよい。変更される属性は、メニュー内の可能な属性のリストから選択されるとよい。属性の変更は属性に関連付けられた値を変更し、この値は、メニュー内の可能な属性値の所定リストから選択されるとよい。属性は、待機画面における選択された項目のサイズおよび／または位置であるとよい。
【００１７】
本発明の別の実施形態によれば、電子装置の待機画面を再構成する方法が提供され、この方法は、待機画面を定義するデータを格納すること、待機画面を再構成するべく、ユーザ入力装置を介した所定のユーザ入力に応答して格納データを所定の方法で自動的に変更すること、および、変更された格納データを使用して待機画面を表示することを含む。
【００１８】
本発明の別の実施形態によれば、電子装置の待機画面を再構成するコンピュータ・プログラムが提供され、このプログラムは、待機画面を再構成するべく、ユーザ入力装置を介した所定のユーザ入力に応答して所定データを所定の方法で自動的に変更する、コンピュータ・プログラム命令を含む。
【発明の実施形態の詳細な説明】
【００１９】
ここからは、本発明をさらに理解するために例示のみを目的として添付の図面を参照する。
【００２０】
図１は、ハンド・ポータブル電子装置１０を概略的に図示している。装置は、プロセッサ２、メモリ４、ディスプレイ６およびユーザ入力装置８を含む。図示されているのと同数の構成要素のみが、以下の本発明の実施形態の説明に必要である。その他の実施形態は、追加の構成要素および／または異なる構成要素を有してもよい。
【００２１】
プロセッサ２は、書き込みおよび読み出しをするためにメモリ４に接続されており、ディスプレイ６へ制御信号を提供し、ユーザ入力装置８から制御信号を受け取る。メモリ４は、待機画面レイアウト・ファイルに加えてコンピュータ・プログラム命令１２も格納しており、プログラム命令はプロセッサ２にロードされると装置１０の動作を下記のように制御する。コンピュータ・プログラム命令またはコンピュータ・プログラム命令の一部は、装置１０の製造者または装置１０のユーザのいずれかによりデータ記憶装置からダウンロードされてもよい。コンピュータ・プログラム命令は、電磁搬送波信号を介して電子装置１０に届けられてもよく、コンピュータ・プログラム製品、メモリ装置、または、ＣＤ−ＲＯＭやＤＶＤなどの記録媒体などの物理エンティティからコピーされてもよい。
【００２２】
ユーザ入力装置８は、ユーザが装置１０に入力できるようにする任意の適切な装置である。例えば、１つまたは複数のキー、ジョイスティック、タッチ・スクリーンなどであればよい。
【００２３】
図３は、１つのタイプのハンド・ポータブル電子装置１０を概略的に図示する。この例では、ハンド・ポータブル電子装置１０はセル式移動電話である。ユーザ入力装置８は、ITU−Tキーパッド８A、ディスプレイ６の下端に沿った「ソフト」キー８B、８Cおよび８D、ならびにスクロール・アップ／スクロール・ダウン・キー、ジョイスティックまたは同様のものなどのセレクタ８Eを含む。「ソフト」キー８B、８Cおよび８Dは、関連の説明９B、９Cおよび９Dをそれぞれ有する。ソフト・キーに関連付けられた説明はその時点でのソフト・キーの機能を示す。ソフト・キーの機能はプログラマブルであり、機能（および説明）は装置の動作状態の変化に応じて変化すればよい。
【００２４】
ディスプレイ６は、装置１０のユーザに内容を示すために使用される。この内容は、一連の画面として示され、装置が特定の動作状態にあるときに特定の画面が提供されるとよい。装置１０が待機状態のときは待機画面が示される。装置のスイッチが入ると待機状態に入るのであるが、待機状態は装置の階層メニュー・システムの「ルート」であり、装置がアクティブであるがアイドルであるとき、つまり装置が別の状態にないときに入る状態である。
【００２５】
一般的に、待機画面は「背景」に加えてアイコンなどの画像アイテムを前景に含む。画像アイテムは、その項目が有する待機画面の「領域」内に配置されている。背景は、写真、図柄、壁紙または同様のものであると思われる。画像アイテムは、例えばアプリケーションへのショートカットなど、装置を新たな状態に入らせるウィジェットもしくは制御項目、または情報をユーザへ伝達するために使用される情報項目であればよい。情報項目の限定する意味のない例をいくつか挙げると、時計、電力レベル、目覚まし時計、未読メッセージ数、カレンダー情報、ユーザ・メモなどがある。
【００２６】
一般的に、待機画面は待機画面レイアウト・ファイルを使用して定義される。待機画面レイアウト・ファイルは、待機画面に表示される個々の画像アイテムを規定するために使用される別々の要素をいくつか含むXMLファイルであるとよい。通常、要素は「要素」タグにより表され、識別子およびいくつかの下位要素を含む。第１下位要素は、要素に関連付けられた画像アイテムの横軸上における開始位置を定義するために第１属性を使用し、当該画像アイテムの縦軸上における開始位置を定義するために第２属性を使用してもよい。第２下位要素は、要素に関連付けられた画像アイテムの幅を定義するために第１属性を使用し、当該画像アイテムの高さを定義するために第２属性を使用してもよい。第３下位要素は、要素に関連付けられた画像アイテムの内容を定義するのに使用されるコードの位置を規定してもよい。
【００２７】
一連の図２Aから２Iは、装置１０のメニューを使用した、装置１０の待機画面のユーザ・カスタマイズを図示する。
【００２８】
ユーザは、メニューを通して「マイ・アイドル」オプションを選択する。このオプションは、ユーザが「アイドル」、つまり待機画面を独自のものにできるようにする。待機画面は、ユーザが制御できるサイズおよび配置の一連の領域を含む。一つの領域は一つの画像アイテムに関連付けられているとよい。ユーザは、領域の各所への移動、領域に対する変更、領域の消去などを下記のように行うことができる。「マイ・アイドル」オプションが選択されると待機画面が表示され、そこでは画像アイテムに関連付けられた領域が画像アイテムを識別する文字列によりラベル付けされている。画像アイテムに関連付けられた、待機画面レイアウト・ファイルの要素の識別子が、当該画像アイテムの領域をラベル付けする文字列として使用されてもよいし、あるいは、ラベル付けする文字列はユーザにより定義されてもよい。
【００２９】
次に、図２Aに図示されているように、「レイアウトを変更する」を含むいくつかの択一的なオプション２０がユーザに示され、このオプションはソフト・キー８Cを使用して選択される。ユーザがソフト・キー８Cを押すことによりこのオプションを選択すると、図２Bに図示されていうように新たな画面が示される。この画面では、待機画面２２の内容がいくつかの領域として表示されており、待機画面で使用される領域は文字列識別子を有する。この例では、待機画面２２は４つの画像アイテム２４A、２４B、２４Cおよび２４Dを含む。この例では、画像アイテム２４A〜２４Dは、ディスプレイ６の幅方向に広がった領域として示され、ディスプレイ６の高さまで１つずつ積み重ねられている。画像アイテム（画像領域）は、ディスプレイの下部から上部への順で、「ユーザーノート」２４D、「カレンダー」２４C、「オーディオアプリケーション」２４Bおよび「ショートカットバー」２４Aである。最上の画像アイテム（画像領域）、ショートカットバー２４Aは、初期設定で強調表示される。セレクタ８Eを使用して強調表示を上／下にスクロールし、所望の画像アイテム（画像領域）２４A〜２４Dを選択することができる。この例では、「ショートカットバー」画像アイテム２４Aが強調表示されている状態でソフト・キー８Bが押されて「オプション」が選択される。
【００３０】
図２Cに図示されているように新たな画面が示される。「領域を削除する」２６A、「領域のサイズを変更する」２６B、「新たな領域を追加する」２６Cを含む、いくつかの異なるオプション２６が示される。加えて、「領域を移動する」などその他のオプションが示されてもよい。セレクタ８Eを使用して所望のオプションを強調表示し、続いてソフト・キー８Cを押すことで適切なオプション２６が選択される。
【００３１】
図示されている例では、初期設定で「領域を削除する」オプション２６Aが強調表示されており、選択される。その結果、「ショートカットバー」画像アイテム２４Aが待機画面２２から自動的に削除される。これは例えば、待機画面レイアウト・ファイル内の、「ショートカットバー」画像アイテム２４Aに関係する要素を消去または禁止することで実現される。画像アイテムの「ユーザーノート」、「カレンダー」、「オーディオアプリケーション」および「ショートカットバー」は、これらに対応する要素の識別子により表されているため、これは簡単に実現されると思われる。したがって、消去または禁止される要素は、識別子「ショートカットバー」を有するものである。
【００３２】
その結果、図２Dに図示されている画面が示される。これは、待機画面２２の内容が変更されて「ショートカットバー」の領域がなく、背景の一部が見えるスペース２８が残されているということを除き、先に図２Bで示された画面に一致する。
【００３３】
次にこの例では、セレクタ８Eが使用されて強調表示が上／下へスクロールされ、「カレンダー」画像アイテム（画像領域）２４Cが選択される。「カレンダー」画像アイテム（画像領域）２４Cが強調表示されている状態でソフト・キー８Bが押され、「オプション」９Bが選択される。図２Fに図示されているように新たな画面が示される。
【００３４】
「領域を削除する」２６A、「領域のサイズを変更する」２６Bおよび「新たな領域を追加する」２６Cを含む、いくつかの異なるオプション２６が示される。加えて、「領域を移動する」などその他のオプションが示されてもよい。セレクタ８Eを使用して所望のオプション２６を強調表示し、続いてソフト・キー８Cを押すことで適切なオプション２６が選択される。図示されている例では、「領域のサイズを変更する」オプションが強調表示され、選択される。その結果、図２Gに図示されているように新たな画面が示される。
【００３５】
「１行」オプション３０A、「２行」オプション３０Bおよび「３行」オプション３０Cを含む、いくつかの異なるサイズ・オプション３０が示される。これらのオプションは、先に選択された領域、つまりカレンダー画像アイテム（画像領域）２４Cの新たな高さを表す。セレクタ８Eを使用して所望のオプション３０を強調表示し、続いてソフト・キー８Cを押すことで図２Gの適切な高さオプション３０が選択される。図示されている例では、「３行」オプション３０Cが強調表示され、選択される。その結果、待機画面２２内の「カレンダー」画像アイテム２４Cが自動的にサイズ変更されるか、またはサイズ変更が不可能である場合はエラー警報が出される。
【００３６】
サイズ変更は、例えば、画像アイテム「カレンダー」２４Cに関係する待機画面レイアウト・ファイル内の要素を修正することで実現される。該当するコードは、ファイル内容を解析して識別子「カレンダー」を有する要素を見つけることで発見できる。続いて、この要素が解析されて第２下位要素が発見され、次に第２下位要素が解析されて第２属性が発見される。続いて、第２下位要素の第２属性の値が、選択された高さオプションを反映するよう自動的に更新される。オプション「１行」が選択されると、第２属性は１単位に対応する値に設定される。オプション「２行」が選択されると、第２属性は２単位に対応する値に設定される。オプション「３行」が選択されると、第２属性は３単位に対応する値に設定される。待機画面レイアウト・ファイル内の表示される画像アイテムに対応する要素の、第２下位要素の第２属性値の合計がディスプレイの高さを上回ると、エラー警報が発生する。
【００３７】
サイズ変更が成功すると、図２Iに図示されている画面が示される。これは、待機画面２２の内容が変更されて「カレンダー」の帯状の領域が４行から３行にサイズ変更されていることを除き、先に図２Bで示された画面に一致する。
【００３８】
画像アイテム（画像領域）の高さのみをサイズ変更する方法を説明したが、画像アイテム２４に使用される領域の幅を変更することも同様に可能である。
【００３９】
上で説明したサイズ変更では、所定値を選択することで画像アイテム（画像領域）の新たなサイズが実現されているが、その他の実装においては、新たにサイズ変更される領域の高さおよび／または幅の値をユーザが入力してもよい。入力された値が有効な値であることを確認するよう、検査メカニズムが使用されてもよい。
【００４０】
これは例えば、図２Fの「領域のサイズを変更する」オプションが選択された後に、選択された画像アイテム２４が占める領域の高さおよび幅に関する値をユーザが指定できるようにすることで実現されてもよい。高さに関する値の入力は、選択された画像アイテムに関連した要素の第２下位要素内の第２属性に使用され、幅に関する値の入力は、当該第２下位要素の第１属性に使用されることになる。あるいは、ユーザが、選択された画像アイテム２４に対応する領域の角を選択し、その角をドラッグして画像アイテム２４のサイズを変更できるようにしてもよい。続いて、新たなサイズが第２下位要素の第１属性および第２属性の値に変換される。
【００４１】
待機画面２２に新たな画像アイテム（画像領域）２４を追加するためには、新たな画像アイテム（画像領域）２４が隣接して挿入される既存の画像アイテム（画像領域）２４を強調表示することで、新たな画像アイテムの配置が選択される。図２Cで「新たな領域を追加する」オプション２６Cが選択されると、新たな画像アイテムは図２Bで選択された「ショートカットバー」画像アイテム（画像領域）の真下に挿入されることになる。図２Fで「新たな領域を追加する」オプション２６Cが選択されると、新たな画像アイテムは「カレンダー」画像アイテム（画像領域）２４Cの真下に挿入されることになる。新たな画像アイテムを「カレンダー」画像アイテム２４Cの下に挿入しようとしていると仮定する。次の画面で、「新たな領域を追加する」オプション２６Cが強調表示されて、選択される。その結果ユーザは、新たな画像アイテム２４の内容を定義するファイルを特定し、新たな画像アイテムに、例えば「新規名称」などの識別子を与えるよう要求される。加えて、その他の構成オプションが示されてもよい。例えば、ユーザが世界時計、電池状態、メッセージの状態などの内容オプションの所定リストから選択することで、待機画面内の選択された領域の内容を選択してもよい。
【００４２】
新たな画像アイテムの要素は、待機画面レイアウト・ファイルを自動更新することで、カレンダーの要素の直後に自動挿入される。これは、待機画面レイアウト・ファイルを解析して、識別子として「カレンダー」を有する要素の終わりを特定し、続いてカレンダー要素の終わりの後に新たな要素を挿入することで実現される。新たな要素は以下を含む。
<element file='new".Identifier='新規名称'>
<label>
<text>新規名称</text>
</label>
...
</element>
【００４３】
待機画面２２内の既存の画像アイテム（画像領域）２４を移動するには、図２B（ショートカットバー２４Aが移動される）または図２E（カレンダー２４Cが移動される）に図示されているのと等しい工程で、画像アイテム（画像領域）２４が強調表示され、選択される。「オーディオアプリケーション」画像アイテムを移動しようとしており、これが強調表示されていると仮定する。続いて「オプション」９Bが選択され、次の画面で「領域を移動する」オプション２６（図示せず）が選択される。その結果、図４Aに図示されている画面が示される。
【００４４】
選択された画像アイテム（画像領域）２４Bは、つかまれているようになり、続いてセレクタ８Eを使用して待機画面２２内を移動させられる。例えば、図４Bに図示されているように、１度のスクロール・アップは、「オーディオアプリケーション」画像アイテム２４Bを「ショートカットバー」画像アイテム２４Aの上へ移動させる。選択されている画像アイテム２４Bの位置にユーザが満足すれば、ユーザはソフト・キー８C「OK」を選択して当該配置を選択する。OKを選択することは、選択された領域のつかみを解除することに等しい。その結果、選択されたレイアウトが図４Cに図示されているように示される。
【００４５】
次に、ユーザはソフト・キー８D「完了」を選択し、次の画面（図４D）でソフト・キー８C「はい」を選択して変更を保存する。図２Aで表示されたのと等しい画面にディスプレイが戻る前に、変更が保存されたことを知らせる画面（図４E）が少しの間示される。
【００４６】
待機画面２２における画像アイテム２４の順序は、待機画面レイアウト・ファイル内の要素の順序を変えることで変更される。図４Aで選択されている画像アイテムに関連付けられた要素は「切り取り」され、続いてスクロールに応答して、待機画面レイアウト・ファイルを一要素ずつ上または下へ移動させられる。図４Bでは、要素は１要素上へ移動されており、その結果、待機画面レイアウト・ファイル内で「ショートカットバー」要素の前に来る。
【００４７】
「オーディオアプリケーション」などの画像アイテムの位置を変更することは、例えば、当該画像アイテムに関係する、待機画面レイアウト・ファイル内の要素内のコードを修正することによっても可能であると思われる。該当するコードは、識別子「オーディオアプリケーション」を有する要素を見つけることで発見できる。続いて、この要素が解析されて第１下位要素が発見される。次に、第１下位要素が解析されて第１属性および第２属性が発見される。第１属性および第２属性の値は、画像アイテムの新たな配置を反映するよう自動更新される。例えば、ユーザ入力装置８を使用してユーザにより第１属性および第２属性の個々の値が入力されてもよい。
【００４８】
ユーザが待機画面の設定を新しい装置へ移せるように、待機画面レイアウト・ファイルは取り外し可能メモリに格納されてもよい。こうすれば、たとえユーザが新しい装置を購入しても同じ待機画面を有することが可能である。
【００４９】
これまでの段落において、本発明の実施形態を種々の例を参照して説明してきたが、当然のことながら、請求される本発明の範囲を逸脱せずに、与えられた例に変更を加えることが可能である。ユーザ・インタフェースからの特定の命令が、待機画面を定義するコードに対する修正を自動生成するよう使用される。異なる特定のユーザ・インタフェース命令それぞれに対応して生成される修正の明確な特徴は、コードよる待機画面の定義法によって決まるものであり、一般的に、この定義法はプラットフォームごとに異なる。
【００５０】
以上の明細書では、特に重要と考えられる本発明の特徴に注目があつまるよう努めたが、当然のことながら出願人は、重点が置かれたか否かに関わらず、上で言及されている特徴もしくは特徴の組み合わせ、および／または図面内に示されている特徴もしくは特徴の組み合わせの、特許を受けることができるものすべてに関して保護を請求する。
【図面の簡単な説明】
【００５１】
【図１】電子装置１０を概略的に図示する。
【図２（Ａ−Ｃ）】Ａは、装置１０のメニューを使用した、装置１０の待機画面のユーザ・カスタマイズを図示する。Ｂは、装置１０のメニューを使用した、装置１０の待機画面のユーザ・カスタマイズを図示する。Ｃは、装置１０のメニューを使用した、装置１０の待機画面のユーザ・カスタマイズを図示する。
【図２（Ｄ−Ｆ）】Ｄは、装置１０のメニューを使用した、装置１０の待機画面のユーザ・カスタマイズを図示する。Ｅは、装置１０のメニューを使用した、装置１０の待機画面のユーザ・カスタマイズを図示する。Ｆは、装置１０のメニューを使用した、装置１０の待機画面のユーザ・カスタマイズを図示する。
【図２（Ｇ−Ｉ）】Ｇは、装置１０のメニューを使用した、装置１０の待機画面のユーザ・カスタマイズを図示する。Ｈは、装置１０のメニューを使用した、装置１０の待機画面のユーザ・カスタマイズを図示する。Ｉは、装置１０のメニューを使用した、装置１０の待機画面のユーザ・カスタマイズを図示する。
【図３】１つのタイプのハンド・ポータブル電子装置１０を概略的に図示する。
【図４（Ａ−Ｃ）】Ａは、装置１０のメニューを使用した、装置１０の待機画面のユーザ・カスタマイズを図示する。Ｂは、装置１０のメニューを使用した、装置１０の待機画面のユーザ・カスタマイズを図示する。Ｃは、装置１０のメニューを使用した、装置１０の待機画面のユーザ・カスタマイズを図示する。
【図４（Ｄ−Ｅ）】Ｄは、装置１０のメニューを使用した、装置１０の待機画面のユーザ・カスタマイズを図示する。Ｅは、装置１０のメニューを使用した、装置１０の待機画面のユーザ・カスタマイズを図示する。
【図１】
2008542942.tif 000003
【図２（Ａ−Ｃ）】
2008542942.tif 000004
【図２（Ｄ−Ｆ）】
2008542942.tif 000005
【図２（Ｇ−Ｉ）】
2008542942.tif 000006
【図３】
2008542942.tif 000007
【図４（Ａ−Ｃ）】
2008542942.tif 000008
【図４（Ｄ−Ｅ）】
2008542942.tif 000009
【国際調査報告】
2008542942.tif 000010
2008542942.tif 000011
2008542942.tif 000012
2008542942.tif 000013